(57)【特許請求の範囲】
【請求項１】
かみそりカートリッジであって、
ａ）ハウジング（１９）と、
ｂ）前記ハウジングの前部に位置するガード（１６）と、
ｃ）前記ハウジングの後部に位置するキャップ（１７）と、
ｄ）前記ハウジング内の前記ガードと前記キャップとの間に配設される２枚以上のかみそり刃（１２）と、
ｅ）前記かみそり刃のうちの２枚の間で前記ハウジングを横切って延びる皮膚接触要素（１４、５０）であって、かみそり刃要素を含んでいない皮膚接触要素と、
ｆ）前記皮膚接触要素の基部（５２）から延び、それぞれが皮膚接触面（５４）を有し、かつ前記皮膚接触要素の長さに沿って離間配置される複数の突出部（５１）であって、隣接する突出部の間に最大で２ｍｍまでのピッチ（５３）が存在し、前記皮膚接触面は、前記ピッチの最大で３５％まで延びる幅（ｗ）を有する、という突出部（５１）と、
を備えるかみそりカートリッジ。
【請求項２】
前記皮膚接触要素は、１５〜１５０個の突出部を含む、請求項１に記載のかみそりカートリッジ。
【請求項３】
前記皮膚接触面の幅（ｗ）が、０．１０ｍｍ〜０．７０ｍｍである、請求項１又は２に記載のかみそりカートリッジ。
【請求項４】
前記皮膚接触面の幅は、前記ピッチの最大で２５％まで延びている、請求項１〜３のいずれか一項に記載のかみそりカートリッジ。
【請求項５】
隣接する突出部の間にスロット（５５）を備え、当該スロットは、０．１９ｍｍ〜１．３ｍｍの幅を有する、請求項１〜４のいずれか一項に記載のかみそりカートリッジ。
【請求項６】
各突出部は、０．３ｍｍ〜２．５ｍｍの奥行きを有する、請求項１〜５のいずれか一項に記載のかみそりカートリッジ。
【請求項７】
前記突出部は、最大長さ０．３ｍｍまでの湾曲区分（５９）を含み、前記突出部は、前記上面（５８）上に最大長さ０．６ｍｍまでの実質的に平らな部分を備える、請求項１〜６のいずれか一項に記載のかみそりカートリッジ。
【請求項８】
２枚の隣接するかみそり刃先の間の距離が１．０ｍｍ未満である、請求項１〜７のいずれか一項に記載のかみそりカートリッジ。
【請求項９】
前記突出部は、０．２５ｍｍ〜１．００ｍｍの高さを有する、請求項１〜８のいずれか一項に記載のかみそりカートリッジ。
【請求項１０】
前記皮膚接触要素の後ろの前記かみそり刃の接線角度（４８）が、２５度〜４０度の範囲である、請求項１〜９のいずれか一項に記載のかみそりカートリッジ。
【請求項１１】
前記皮膚接触要素の前後にリンス通り抜けギャップ（２３）が設けられている、請求項１〜１０のいずれか一項に記載のかみそりカートリッジ。
【請求項１２】
前記皮膚接触要素は、支持要素（１５）を介して、前記ハウジング内に配置されている、請求項１に記載のかみそりカートリッジ。
【請求項１３】
かみそり刃が前記支持要素（１５）から延出していない、請求項１２に記載のかみそりカートリッジ。
【発明の詳細な説明】
【技術分野】
【０００１】
本発明は剃毛かみそりに関し、より詳細には、２枚のかみそり刃の間に配設された皮膚接触要素を有する剃毛かみそりカートリッジに関する。
【背景技術】
【０００２】
今日、市場に出回っているウェットシェービング用の多数のかみそりは、ハンドルに操作可能に結合されたかみそりカートリッジ内に１枚以上のかみそり刃（多くは３枚〜６枚のかみそり刃を有する）を有し、一部のかみそりは使い捨てであり、一部のかみそりは再使用可能なハンドルを有する。複数枚のかみそり刃を有するかみそりカートリッジが、例えば、２００５年２月２４日に公開された米国特許公開第２００５／００３９３３７Ａ１号に記載されており、そのようなかみそりカートリッジが、ジレット社によって５枚刃のフュージョン（商標）かみそりとして商品化されてきた。
【０００３】
複数枚のかみそり刃は深剃りを改善するが、一般に、いくつかの性能上の問題を依然として生じ得る。第１に、何らかの不快感が剃毛の間にユーザーに実感され得る。第２に、見逃される毛があること、及び首などの問題の多い領域を剃毛する際の難しさが原因で、剃毛は依然として、比較的緩慢でかつ非効率的なプロセスである。剃毛する人の多くは、毛の大半が切断されているにもかかわらず、相当な量の毛が見逃されていることを認識している（例えば、毛が全く切断されない、あるいは毛が皮膚の近くで又は皮膚線にて切断されないこと）。
【０００４】
加えて、いくつかの領域（例えば、首、顎、及び／又は顔）は特に剃毛が困難であることが示されてきた。これらの領域は一般に、多くの場合に種々の方向付けられる、低く横たわる毛を有している。これらの低く横たわる毛は、皮膚に対して近接するか、密接するか、あるいは同じ高さをなし得る。多くの事例において、ユーザーは、切断されていないかあるいは十分に皮膚に近接して切断されていない毛を切断しようと試みて、同じ領域を繰り返し剃毛しなければならず、結果として、皮膚の刺激を増大させることになる。
【０００５】
この不快な状況は、特に３枚以上の鋭いかみそり刃先を有するカートリッジにおいて、刃の枚数及び鋭さが増すこと、並びに皮膚に対する力又は負荷が累積されることに起因し得るものである。
【０００６】
安全性と接近性を維持すると同時に不快感を軽減しようと試みる従来技術の解決策は、いくつかの属性の中でも特に、しばしばかみそり刃先端部スパンと呼ばれる、かみそり刃の先端部同士の縮小されたスパンを与えるものである。そのような縮小は一般に、かみそり刃同士の間における皮膚の突き出しを低減することによって、より良好な皮膚の管理をもたらすことが一般に知られているが、スパンが狭くなるとかみそり刃間のリンス通り抜けギャップの寸法が減じられるので、かみそり刃間に存在する、切り取られた髪、皮膚の粒子、シェービングクリーム、及び／又は他の細片の水洗能力が低下することも知られている。
【先行技術文献】
【特許文献】
【０００７】
【特許文献１】米国特許公開第２００５／００３９３３７Ａ１号
【発明の概要】
【発明が解決しようとする課題】
【０００８】
かみそり刃荷重を低減することにより不快感を軽減することに対する従来技術の代替的な解決策は、かみそり刃の枚数を増やすことであった。従来技術の応用例は、かみそり刃に取り付けられた追加のかみそり刃又は要素を取り入れている。しかしながら、こうした追加のかみそり刃又は要素は、かみそり刃が毛に噛み合うときに毛が最適な切断位置からずれるように、毛と相互作用する。かみそり刃荷重を軽減する方法、及び毛とのあらゆる相互作用を最小限にしながら皮膚の突き出しに対処する方法については考慮されていない。当該技術分野において開示されているもののような、大きな皮膚接触面積を含む固体刃間要素又は刃間要素では、毛が閉じ込められることになり、結果的に切断の効率が悪くなり、より大きな刺激をもたらし得る。したがって、毛の相互作用を伴わずに皮膚の管理を改善する必要性が依然として存在する。
【課題を解決するための手段】
【０００９】
本発明は、ハウジングと、ハウジングの前部に位置するガードと、ハウジングの後部に位置するキャップと、ハウジング内のガードとキャップとの間に配設される２枚以上のかみそり刃と、かみそり刃のうちの２枚の間でハウジングを横切って延びる皮膚接触要素と、皮膚接触要素の基部から延び、それぞれが皮膚接触面を有し、かつ皮膚接触要素の長さに沿って離間配置される複数の突出部であって、隣接する突出部の間に最大で２ｍｍまでのピッチが存在し、皮膚接触面は、ピッチの３５％まで延びる幅（ｗ）を有する、という突出部と、を備えるかみそりカートリッジを提供する。
【００１０】
皮膚接触要素にわたる突出部の頻度は、剃毛される表面との接触点を提供する。皮膚接触面はピッチの３５％まで延びるので、毛が皮膚接触要素を通過するのに十分なスペースを依然として提供しながら、十分な支持及び制御が皮膚にもたらされる。したがって、本発明は、剃毛される毛に対する影響を最小限にしながら、追加のかみそり刃を付け加えることなくかみそりカートリッジにかかる負荷を低減することができる。
【図面の簡単な説明】
【００１１】
本明細書は、本発明を構成するとみなされる主題を具体的に指摘しかつ明確に主張する特許請求の範囲を結論とするが、本発明は、添付の図面と関連してなされた以下の説明によって更に理解されると考えられる。添付の図面において同様の参照符号が、実質的に同一の要素を示すために用いられている。
【図１】本発明による、中にある皮膚接触要素を示すかみそりカートリッジの斜視図である。
【図１Ａ】ハンドルに取り付けて示された図１のかみそりカートリッジの斜視図である。
【図２】図１のかみそりカートリッジの横断面図である。
【図３Ａ】本発明による皮膚接触要素の可能な実施形態の斜視図である。
【図３Ｂ】本発明による皮膚接触要素の可能な実施形態の斜視図である。
【図３Ｃ】本発明による皮膚接触要素の可能な実施形態の斜視図である。
【図３Ｄ】本発明による皮膚接触要素の可能な実施形態の斜視図である。
【図３Ｅ】本発明による皮膚接触要素の可能な実施形態の斜視図である。
【図３Ｆ】本発明による皮膚接触要素の可能な実施形態の斜視図である。
【図４Ａ】本発明のかみそりカートリッジの代替実施形態の断面図である。
【図４Ｂ】本発明のかみそりカートリッジの代替実施形態の断面図である。
【図５Ａ】本発明のかみそりカートリッジの別の実施形態の横断面図である。
【図５Ｂ】本発明のかみそりカートリッジの別の実施形態の横断面図である。
【図５Ｃ】本発明のかみそりカートリッジの別の実施形態の横断面図である。
【図６】従来のかみそりカートリッジとそれぞれのかみそり刃露出部分の横断面図である。
【図６Ａ】中にある皮膚接触要素と本発明のそれぞれのかみそり刃露出部分を示す、かみそりカートリッジの断面図である。
【図６Ｂ】中にある皮膚接触要素とそれぞれの刃の接線角度を示す、本発明のかみそりカートリッジの側面図である。
【図６Ｃ】本発明の代替実施形態による、中にある皮膚接触要素とそれぞれの刃の接線角度を示すかみそりカートリッジの側面図である。
【図７】本発明による皮膚接触要素の可能な実施形態の斜視図である。
【図８】本発明による皮膚接触要素の可能な実施形態の斜視図である。
【図９】本発明による皮膚接触要素の可能な実施形態の斜視図である。
【図１０】本発明による皮膚接触要素の可能な実施形態の斜視図である。
【発明を実施するための形態】
【００１２】
本発明は、かみそり刃アレイ内の２枚のかみそり刃の間に配設された皮膚接触要素を有する、ウェットシェービング用のかみそりの中のかみそりカートリッジに関する。本明細書で用いられる用語「皮膚接触要素」は、一般に毛又は皮膚を切断しないが、ユーザーの皮膚と接触し、係合し、該皮膚を制御し、強化し、揺り動かし、又は伸張して剃毛中の皮膚の管理（例えば、皮膚の突き出しの低減）を提供し、かつ複数の突出部を有する物理構造を意味する。本明細書で用いられる「かみそり刃アレイ」は、１枚以上のかみそり刃（例えば、一般に複数枚のかみそり刃）のアレイとして定義されており、各かみそり刃は刃先を有し、各刃先は一般に同じ方向に向いている。かみそり刃の刃先又はかみそり刃の縁部は、本明細書においてかみそり刃先端部と同じ意味で用いられてもよく、かみそり刃先端部は、かみそり刃の縁部上の一点を表してもよい。このかみそりカートリッジは、かみそり刃要素と皮膚接触要素がアレイ内に存在するという点で、混合した機能を備えた「混合型かみそり刃アレイ」を有するものと見なされてもよい。
【００１３】
図１は、それぞれが対応の刃先１３ａ、１３ｂ、１３ｄ、１３ｅを有する４枚のかみそり刃１２ａ、１２ｂ、１２ｄ、及び１２ｅを備えるかみそり刃アレイ１２と、２枚のかみそり刃１２ｂと１２ｄとの間に配設される皮膚接触要素１４と、を有するかみそりカートリッジ１０を示している。このように、該かみそりカートリッジは、切断要素と皮膚接触要素がアレイ内に存在するという点で、混合した機能を備えた「混合型かみそり刃アレイ」を有すると考えることができる。
【００１４】
留意されたいこととして、一般に、カートリッジの前部に配設されたかみそりカートリッジ１０のガード１６（及び／又はガードバー１６ａ）は、より高い摩擦力をカートリッジの前部に発生させて、剃毛プロセスの間に、かみそり刃の前方の皮膚を伸張し、望ましくは毛を支持又は整列することが知られているが、キャップ１７は一般に、カートリッジの背部に位置する低摩擦要素であり、皮膚の伸張を維持するのを支援する一方で、皮膚がカートリッジの背部を越えて摺動できるようにするものであることが知られている。キャップはまた望ましくは、潤滑、滑らかな滑動又は他の皮膚の制御をもたらし得る。
【００１５】
４枚のかみそり刃が図１に示されているが、それ以上又はそれ以下の任意の枚数のかみそり刃がカートリッジ１０内に装着されてもよいことが理解されよう。通常のかみそりのハウジング１９は、一般に、フレーム１５と、ガード１６及び／又はガードバー１６ａとを含む。かみそり刃１２ａ、１２ｂ、１２ｄ、及び１２ｅ、並びに皮膚接触要素１４は、クリップ１８ａ及び１８ｂでハウジング１９内に固定されて示されている。皮膚接触要素１４は、機械的（例えば、バネ荷重印加、圧嵌め）、熱的、化学的手段、又は当業者に知られている他の手段によって、ハウジング１９のフレーム１５内に固定、装着、又は他の形で結合されてもよいが、通常のかみそり刃と同じ方式で行われるのが望ましい。本発明の皮膚接触要素の他の組立方法についても、以下でより詳細に説明する。
【００１６】
皮膚接触要素１４は、有利には、標準的な又は一般的なかみそり刃（例えば、かみそり刃支持体を備えたかみそり刃若しくはベントブレード）と全く同じように装着されてもよく、又はばね上げ機能を有して装着されてもよい。
【００１７】
図１は、ガード１６からキャップ１７に向かってカートリッジ１０の幅方向に見た場合に、かみそり刃アレイ１２の中間で、標準的な第３のかみそり刃の位置（又は図２に示すようなかみそり刃スロット１５ｃ）付近又は該位置に位置付けられた皮膚接触要素１４を示す。一実施形態では、皮膚接触要素は、かみそり刃の１つに取って代わり、事実上、カートリッジを、それぞれ、皮膚接触要素１４の前方にあるカートリッジユニット及び皮膚接触要素１４の後方にあるカートリッジユニットである２つのユニット（カートリッジユニット１０ａ及びカートリッジユニット１０ｂ）に分割する。皮膚接触要素１４は、カートリッジユニット１０ａ及び１０ｂの両方に包含されてもよく、又は、一般に、カートリッジ１０のキャップ１７とガード１６との間のどこに配設されてもよい。更に、皮膚接触要素は、一般的なかみそり刃アレイ以外に設けられてもよい。
【００１８】
図１Ａは、機能的なかみそり２０をなすように、相互連結部材１１ａを介してハンドル１１に動作可能に結合された図１のかみそりカートリッジ１０を示している。本発明において、かみそりは全体として使い捨てであってもよく、あるいはかみそりは使い捨てカートリッジを有する再使用型ハンドルを含んでもよい。
【００１９】
ここで図２を参照すると、図１の断面側面図が示されており、皮膚接触要素がスロット１５ｃ内に配設され得ること、及びかみそり刃アレイ１２（例えば、又は「混合型」かみそり刃アレイ１２）の中央に配置され得ることが分かる。実施形態では、皮膚接触要素１４は単独の又は独立した要素であり、別のかみそり刃に取り付けられない。しかしながら、皮膚接触要素は、かみそり刃若しくはかみそり刃支持体に取り付けられてもよいこと、又はかみそり刃若しくはかみそり刃支持体の伸張された部分を形成してもよいことを理解されたい。
【００２０】
ここで図３Ａ〜図３Ｃを参照すると、本発明の範囲に含まれる皮膚接触要素５０の様々な設計が示されている。
【００２１】
図３Ａ〜図３Ｃでは、皮膚接触要素５０ａ、５０ｂ、５０ｃは、基部５２から延びる複数の突出部５１ａ、５１ｂ、５１ｃを含む。本発明は、それぞれの構造が似ていてもよい、いくつかの形態の突出部５１ａ、５１ｂ、５１ｃを企図する。
【００２２】
図１から分かるように、皮膚接触要素は、カートリッジの長さを概ね横切って延びる。現在市場で入手可能なカートリッジは、３０ｍｍ〜４０ｍｍの長さを有する。本発明の皮膚接触要素は、一般に、かみそり刃とほぼ同じ長さにわたって延在してもよい。
【００２３】
隣接する突出部の間のピッチは、各突出部上の対応する点から、カートリッジに沿って長さ方向に測定される。突出部は、皮膚接触要素の長さにわたって最大で２ｍｍまで、好ましくは最大で１．７５ｍｍまで、更により好ましくは最大で１．５ｍｍまでのピッチ５３ａ、５３ｂ、５３ｃを有する。皮膚接触面がピッチの最大で３５％まで、好ましくはピッチの最大で２５％まで、更により好ましくはピッチの最大で１５％まで延びるように、皮膚接触面５４ａ、５４ｂ、５４ｃの幅は、約０．１０ｍｍ〜約０．７０ｍｍ、望ましくは約０．２ｍｍ〜約０．３ｍｍであってもよい。
【００２４】
皮膚接触面は、皮膚との接触点を提供し、皮膚が制御されるのを可能にする。皮膚接触面はピッチの最大で３５％まで延びるので、毛が皮膚接触要素を通過するのに十分なスペースを依然として提供しながら、十分な支持及び制御が皮膚にもたらされる。したがって、本発明は、剃毛される毛に対する影響を最小限にしながら、追加のかみそり刃を付け加えることなくかみそりカートリッジにかかる負荷を低減することができる。
【００２５】
図３Ｄ〜図３Ｆの拡大図を参照すると、隣接する２個の突出部５１ｄ、５１ｅ、５１ｆの詳細な斜視図が示されている。スロット５５は、隣接する突出部５１ｄ、５１ｅ、５１ｆの間に画成され、毛の自由な通過を可能にする幅を有し得る。皮膚接触要素は、剃毛中に皮膚を支持するのに十分なだけの皮膚接触面積を提供する。好ましくは、複数の突出部は、剃毛中の毛の自由な通過を可能にするために、０．１９ｍｍ〜１．３ｍｍ、好ましくは約０．３ｍｍの幅を有する複数のスロットをもたらす。
【００２６】
前述の一対の隣接する突出部５１ｄ、５１ｅ、５１ｆはスロット５５を画定しており、スロット５５は、毛との相互作用をほとんどあるいは全く伴わずに毛が通過できるように構成されており、そのため、毛が突出部５１ｄ、５１ｅ、５１ｆによって捕捉されたり、閉じ込められたり、引っ張られたりすることがなく、それによって不快感が生じることもない。スロット５５は、毛を妨げないように離間される。突出部５１ｄ、５１ｅ、５１ｆはまた、突出部５１ｄ、５１ｅ、５１ｆが過度に離間している場合に結果として生じ得る、スロット５５内への皮膚の突き出し及びスロット５５の端部の圧力点を減じるように構成されている。皮膚の突き出しは、かみそり刃先（例えば、特に不図示のかみそり刃１２ｄ）が不必要に皮膚を切断することにつながり、結果として不快感を生じることになり得る。皮膚接触要素５０ｄ、５０ｅ、５０ｆの上の比較的多数の突出部５１ｄ、５１ｅ、５１ｆは、カートリッジ１０によって皮膚にかけられる力を分配する働きをする。スロット５５の寸法は、皮膚接触要素のスロット５５を通過する毛の数も増加させることができるので、例えば本発明の図１のように配置される場合、例えばかみそり刃１２ｄ（図示せず）のかみそり刃先１３ｄによって適切に切断される毛の数を増加させることができる。
【００２７】
各突出部は、前面５６と、後面５７と、上面５８とを備える。上面は、皮膚接触面５４ｄ、５４ｅ、５４ｆの少なくとも一部を形成するが、実施形態では、これは突出部５１ｄ、５１ｅ、５１ｆの前面の上にも延びる。各突出部は、突出部５１ｄ、５１ｅ、５１ｆの基部５２から上面５８まで測定される高さを有する。各突出部は、突出部の前面５６から突出部の後面５７まで測定される奥行きを有する。突出部５１ｄ、５１ｅ、５１ｆの上面及び前面は、皮膚接触面５４ｄ、５４ｅ、５４ｆの一部を形成し得る湾曲区分５９によって接合されてもよい。突出部５１ｄ、５１ｅ、５１ｆは、上面上に実質的に平らな部分を備えてもよい。各突出部は、後縁部５７ｄ’、５７ｅ’、５７ｆ’を有する。
【００２８】
皮膚接触面５４ｄ、５４ｅ、５４ｆは、約０．１０ｍｍ〜約０．７０ｍｍ、好ましくは約０．２ｍｍ〜約０．３ｍｍの幅ｗを有し得る。突出部５１ｄ、５１ｅ、５１ｆの基部５２から上面５８まで測定した場合の高さは、約０．２５ｍｍ〜約１ｍｍ、好ましくは約０．５０ｍｍであり得る。各突出部は、一般に、突出部５３の前面から突出部５４の後面まで測定した場合に、約０．３ｍｍ〜約２．５ｍｍ、好ましくは約０．８ｍｍの奥行きを有する。
【００２９】
突出部５１ａ、５１ｂ、５１ｃは、前面と上面とを接合する長さ最大で０．３ｍｍまでの湾曲区分５９を含んでもよい。突出部５１ｄ、５１ｅ、５１ｆは、長さが最大で０．６ｍｍまでの実質的に平らな部分を上面上に備えてもよい。突出部５１ｄ、５１ｅ、５１ｆの後縁部５７’は、上面から基部まで測定した場合に、＋４５°〜−６０°の角度θをなしてもよい。好ましくは、角度θは＋１０°〜−３０°である。
【００３０】
本発明の皮膚接触要素は、限定するものではないが、ポリマー材料、エラストマー材料、熱可塑性エラストマー材料、ウレタン材料、オレフィン材料、ゴム材料、金属材料、又はそれらの任意の組み合わせ等のいずれかの種類の材料から作製され得る。シリコーン、フルオロシリコーン、ポリイソプレン、ポリブタジエン、ポリイソブチレンなどのエラストマー、スチレン−エチレン−ブチレン−スチレン（ＳＥＢＳ）系熱可塑性エラストマー、スチレン−エチレン−プロピレン−スチレン（ＳＥＰＳ）系熱可塑性エラストマー、ポリオキシエチレン−ポリウレタン系エラストマーなどのコポリマー、若しくは、ポリウレタン、ポリスチレン及びポリエチレンなどの他のポリマー、若しくは、アクリロニトリル−ブタジエン、ポリアクリラート及び天然ゴムなどのゴム、又はそれらの任意の組み合わせもまた、本発明において企図される。加えて、皮膚接触要素の材料は、上記の材料のうちの１種以上（例えば、ポリマー及びゴム、並びにそれらの複合材）を他の材料で改質したものを含んでもよい。
【００３１】
ポリマー材料又は他のエラストマー材料から作製される場合、皮膚接触要素は射出成形されてもよい。アルミニウム又はステンレス鋼などの金属から作製される場合、皮膚接触要素は機械加工又はツール加工されてもよい。
【００３２】
更に、皮膚接触要素用の材料としては、織物材料若しくは布材、天然材料（例えば、木材）、又は、エラストマー材料若しくはプラスチック材料でコーティングするかあるいはエラストマー材料若しくはプラスチック材料を組み込んだ金属を挙げることができる。
【００３３】
皮膚接触要素は、潤滑性、剃毛補助、又は剥離能を有する材料を含んでもよい。本明細書で用いる用語「剃毛補助材料」は、皮膚及び／又は毛と共に使用するための任意の組成物を意味する。そのような組成物は、限定するものではないが、親水性ポリマー（例えば、ポリエチレンオキシド／ポリスチレン、つまりＰＥＯ／ＰＳ）などの潤滑用の薬剤、又は、脱毛、洗浄、冷却、毛の成長の抑制若しくは促進、微生物の成長の抑制、引きずりの抑制、しわの抑制、保湿、皮膚の色合い若しくは状態の改善、医療目的、又はそれらの任意の組み合わせのための薬剤を含んでもよい。薬剤は、限定するものではないが、アロエ、ビタミンＥ、ラノリン、香料、又はグリコール酸などの成分を含んでもよい。
【００３４】
かみそり刃が皮膚にどの程度差し出されるかに影響を及ぼす１つの要因は、露出量、つまりかみそり刃が皮膚に押し込まれる、あるいは皮膚から持ち上げられる距離であり、この距離は、皮膚にかかるかみそり刃荷重に影響を与える。かみそり刃が皮膚にどの程度差し出されるかに影響を及ぼす別の要因は、要素同士（例えば、かみそり刃同士など）の間のスパンであり、このスパンは、かみそり刃の前方に生じる皮膚の突き出しに影響を与え、また皮膚にかかるかみそり刃荷重にも影響を与える。露出量及びスパンに加えて、皮膚及び毛の管理はまた、かみそりカートリッジ内のかみそり刃の枚数、かみそり刃のタイプ、皮膚線に対するかみそり刃の角度など、相互に関連する多数の変数によって影響を及ぼされ得ることもまた、剃毛の技術分野において知られている。本発明の皮膚接触要素は、かみそり刃アレイにおいて、これらの相互に関連する変数を更に制御する能力を有し、皮膚の管理に影響を与えるものである。例えば、皮膚接触要素は、皮膚にかかるかみそり刃荷重に対する改善された制御点を提供する。
【００３５】
図２において、「リンス通り抜けギャップ」（例えば、切断された毛及び細片が流れ込むためのものであり、一般にかみそり刃同士又はかみそり刃とガード若しくはキャップなどの固定点との間の最短距離を表すギャップ）が、第１のリンス通り抜けギャップ２３ａ及び第２のリンス通り抜けギャップ２３ｂのそれぞれにおいて示されるように皮膚接触要素１４の前後に設けられている。第１のリンス通り抜けギャップ２３ａは、約０．０５ｍｍ〜約０．５ｍｍ、望ましくは約０．１ｍｍ〜約０．２ｍｍの範囲であってもく、第２のリンス通り抜けギャップ２３ｂは、約０ｍｍ（図４Ａ）〜約０．６５ｍｍ（図４Ｂ）、望ましくは約０．２ｍｍ〜約０．５ｍｍの範囲であってもよい。一般に、標準的なかみそり刃カートリッジは、約０．５ｍｍ幅であるリンス通り抜けギャップ（例えば、事実上、かみそり刃同士の間の最短距離）を有し、約０．６５ｍｍの第１かみそり刃スパン（例えば、ガード１６から第１のかみそり刃１２ａまでの距離）を有する。皮膚接触要素１４がカートリッジ１０内に配設された状態では、リンス通り抜けギャップの間隔は、一般に、特にかみそり刃が互いに接近して設置される場合に狭くなり得る。皮膚接触要素の解放スロットは、改善されたリンス性能を提供し、したがって、かみそり刃同士の間の間隔を狭めることができる。
【００３６】
第１のリンス通り抜けギャップ２３ａを皮膚接触要素１４の前に配設することにより、第２のかみそり刃１２ｂによって切断された過剰な毛又は他の細片は、このギャップ２３ａの中に流れ込むことができ、カートリッジ内の更に後ろにあるかみそり刃の目詰まりが回避される。更に、皮膚接触要素１４の後ろに配設された第２のリンス通り抜けギャップ２３ｂが、切断された毛（例えば、皮膚接触要素１４のすぐ後方で第３のかみそり刃１２ｄによって切断された毛）を流し込むための領域を提供することができる。
【００３７】
第１のリンス通り抜けギャップ２３ａと第２のリンス通り抜けギャップ２３ｂは同じ幅であってもよく、あるいは、一方のギャップは他方のギャップよりも幅の狭いものであってもよい。例えば、かみそり刃１２ｅは、皮膚接触要素１４とかみそり刃１２ｅとの間に流れ込む、切断された毛と過剰な細片をより多量に有し得るので、第１のリンス通り抜けギャップ２３ａを、第２のリンス通り抜けギャップ２３ｂよりも狭い幅を有するように設計するのが望ましくあり得る。
【００３８】
図２に示すように、かみそり刃１２ｂの刃先１３ｂとかみそり刃１２ｄの刃先１３ｄとの間のかみそり刃先端部のスパン２２は、それらの間に要素１４が配設された状態で、約１．００ｍｍ〜約２．５０ｍｍ、望ましくは約２．１０ｍｍの範囲である。したがって、スパン２２は、従来のかみそり刃先端部のスパン、又は皮膚接触要素１４を間に有さない隣接するかみそり刃同士の間のかみそり刃間スパン（例えば、約１．０５ｍｍ、又は更にはより望ましくは約０．９５ｍｍであり得る、かみそり刃１２ａの刃先１３ａとかみそり刃１３ｂの刃先１３ｂとの間の図２のスパン２４）の長さの約２倍となり得る。
【００３９】
本発明の皮膚接触要素１４は、図１では、５枚刃のかみそりカートリッジ１０の第３つまり中央のかみそり刃位置に配設されて示されているが、２枚のかみそり刃の間に配設されるという条件で、任意の枚数のかみそり刃を有するかみそりカートリッジの任意の位置又はかみそり刃スロットに、その近くに、又はその中に配設されてもよい。５枚刃のかみそりカートリッジでは、皮膚接触要素１４は、通常は５枚のかみそり刃のために利用されるかみそりカートリッジの第２、第３、又は第４の位置又はかみそり刃スロットのうちのいずれか、その近く、又はその中に配設されてもよく、残りのかみそり刃スロットはかみそり刃を有する。特に図５Ａ及び図５Ｂを参照すると、本発明の皮膚接触要素１４の他に考えられる位置が示されている。例えば、皮膚接触要素１４は、図５Ａに示されるようにスロット１５ｂのある第２の位置（したがって２枚のかみそり刃１２ａと１２ｃとの間）、又は、図５Ｂにおける第４の位置又はスロット１５ｄ（２枚のかみそり刃１２ｃと１２ｅとの間）に配設されてもよい。皮膚接触要素１４は、図１に関して上述したように第３の位置又はスロット１５ｃ内（即ち２枚のかみそり刃であるかみそり刃１２ｂとかみそり刃１２ｄとの間）に配設されて示されている。
【００４０】
本発明では、図５Ｃの例示的な実施形態に示されるように、２つ以上の皮膚接触要素１４をカートリッジ１０のかみそり刃アレイ１２内に配設することが更に企図される。例えば、図５Ｃでは、２つの皮膚接触要素１４ａ及び１４ｂが、それぞれ第２及び第４の位置（つまりかみそり刃スロット１５ｂ及び１５ｄ）に配設されている。
【００４１】
しかしながら、一般には、カートリッジ１０又はハウジング１９（ハウジングは一般にフレーム１５とガード１６とを含む）の構造にほとんど変更を加えることなく、かみそり刃の種類及び枚数を変更したもの並びに１つ以上の皮膚接触要素１４が本発明において設けられてもよい。
【００４２】
かみそり刃露出量は、かみそり刃にかかる皮膚荷重に影響を及ぼし得るものであり、皮膚荷重は、快適性、安全性及び効率などの剃毛特性に影響を与え得ることが知られている。したがって、ここで図６を参照すると、複数枚のかみそり刃又はかみそり刃アレイ１２を有する従来のかみそり設計４０（例えば、皮膚接触要素がかみそり刃アレイ１２内に配設されていない）のかみそり刃露出量が、ガード１６及び／又はガードバー１６ａ並びにキャップ１７に対する個々のかみそり刃（１２ａ〜１２ｅ）の配置によって規定されるものとして示されており、ガード／ガードバー及びキャップはそれぞれ、皮膚に対する第１及び第２の制御点を提供する。したがって、露出量は、キャップ１７とガード１６を通るほとんど真っ直ぐな線４４ａ（想像上の又は仮想の皮膚線）を引き、その真っ直ぐな線４４ａに対してかみそり刃先１３ａ〜１３ｅ（又はかみそり刃先端部）が当たる位置に留意することによって決定されてもよい。
【００４３】
図６において一緒に配置されているかみそり刃は、米国特許第６，２１２，７７７号及び同第６，２１６，３４９号に記載されているような進行性形状をもたらす。結果的に、当該技術分野で知られているように、皮膚は概して、平坦に、あるいは仮想的な皮膚線４４ａで示されるようにガードバー１６ａとキャップ１７との間のほとんど真っ直ぐな線をなして横たわるという仮定に基づけば、このかみそり刃の配置が用いられると、かみそり刃１２ａがガードバー１６ａの高さの下方にあることによるかみそり刃１２ａにおける負のかみそり刃露出量４３、かみそり刃１２ｃがガードバー１６ａ又はキャップ１７と同じ高さ又は平面にあることによるかみそり刃１２ｃにおける中立のかみそり刃露出量４２、及びかみそり刃１２ｅの先端部がキャップ１７の上方にあることによるかみそり刃１２ｅにおける正のかみそり刃露出量４１、が生じ得る。加えて、仮想的な皮膚線４４ａと相対して、かみそり刃１２ｂは負の露出量を、かみそり刃１２ｄは正の露出量を有し得る。
【００４４】
かみそり刃１２ａ及び１２ｂの負の露出量４３は、望ましくは約−０．１８ｍｍ〜約−０．０１ｍｍの範囲内にあり、より望ましくは約−０．０７ｍｍとなり得るが、かみそり刃１２ｄ及び１２ｅの正の露出量４１は、望ましくは約０．１８ｍｍ〜約０．４８ｍｍの範囲内にあり、より望ましくは約０．３３ｍｍとなり得る。
【００４５】
一般に、負の露出量を有するかみそり刃は、毛を最適に切断すると同時に皮膚を保護する上でより優れたものとなり得るが、正の露出量を有するかみそり刃は、閉じ込められた毛を解放する上でより優れたものとなり得るので、かみそり刃アレイ内に正の露出量と負の露出量を有することは好ましくあり得る。しかしながら、皮膚が単に表面をかすめられ、実質的にかみそり刃との接触が最小限となり、したがって快適性及び安全性などの剃毛特性が改善されるように、中立又はゼロの露出量をアレイ全体にわたって有することも好ましくあり得る。
【００４６】
図から分かるように、図６におけるかみそり刃１２ｅなどの正の方向に露出したかみそり刃は、皮膚線４４ｂを押し上げて仮想的な線４４ａから離し、より大きなかみそり刃先端部の荷重を生じ得るが、図６におけるかみそり刃１２ａなどの負の方向に露出したかみそり刃は、一般に、かみそり刃１２ａが皮膚又は皮膚線４４ａを押し上げるのではなく、皮膚線４４ｂがカートリッジの中に突き出てかみそり刃１２ａ自体と接触することを利用し得る。この図は、ガード／ガードバーの付近で、また皮膚が流動する固定（又は制御）点を表すキャップの付近で皮膚の流動を制御する方がおそらくは容易となり得ることを実証するものである。一般に、これらの構想に従うと、この幾何学的制御は、かみそり刃がキャップ１７又はガード１６／ガードバー１６ａのいずれかから離れるにつれて、不正確となり得ることが分かるであろう。したがって、多くの場合、カートリッジ１０の中間又はかみそり刃アレイ１２の中心付近は、規定の皮膚制御が損なわれる可能性のある領域となり得る。
【００４７】
従来のかみそりは、かみそりカートリッジ又はかみそり刃アレイの全体にわたって、皮膚及び毛の流動を適切に制御するが、以下で説明するように、（望ましくは、中央に配置された）１つ以上の皮膚接触要素をかみそり刃アレイ１２内に加えることにより、有利にも、皮膚の制御点が少なくとも１つ以上挿入され、それにより、快適性及び毛の切断（例えば、接近性及び本数）を、したがって剃毛性能を更に改善するように、個々の又は少数のかみそり刃に対する幾何学的配置、皮膚の突き出しの微調整、露出量、そして更にはかみそり刃先端部の荷重をも更に制御することが可能となる。
【００４８】
図５Ｃの上述した実施形態では、２つの皮膚接触要素１４ａ及び１４ｂがかみそり刃アレイに挿入されるが、ガード１６及びキャップ１７の制御点に加えて、これらの皮膚接触要素によって２つの補助的な制御点が設けられることに留意されたい。更に、本発明により、最小化された又は場合によっては存在しないガード１６又はキャップ１７の構造（図示せず）を有するかみそりカートリッジの実施形態を理論的に考えることができる。
【００４９】
ここで図６Ａを参照すると、少なくとも１つの皮膚接触要素１４を一般に図６のかみそり刃アレイ１２の中央に加えることにより、中心又は第３の制御点が（それぞれ第１及び第２のガード及びキャップによる制御点に加えて）効果的に設けられ、それにより、単一又は一群のかみそり刃の皮膚荷重の望ましい、あるいはより優れた操作性が付与される。第３の制御点により、事実上、２本の皮膚線が存在し得る。例えば、図６Ａでは、仮想皮膚線を参照すると、ガードバー１６ａから皮膚接触要素１４へと向かう仮想的皮膚流線４４ａ’と、皮膚接触要素１４からキャップ１７へと向かう仮想皮膚流線４４ａ”が存在し得る。
【００５０】
皮膚接触要素１４は、かみそり刃アレイ１２のかみそり刃１２ａ、１２ｂ、１２ｄ、及び１２ｅと同じ平面上に配置されても、異なる平面上に配置されても、それらの任意の組み合わせで配置されてもよい。皮膚接触要素１４はまた、かみそり刃１２ｂ及び１２ｄと同じ平面上であるが、かみそり刃１２ａ又は１２ｅの平面とは異なる平面上に配置されてもよい。後者の構成では、皮膚接触要素１４に対して、かみそり刃１２ｂ及び１２ｄの中立の露出がもたらされ、また、これらのかみそり刃は単に皮膚をかすめ得るものであるので、皮膚接触要素の領域付近では、皮膚にかかるかみそり刃先端部の荷重を低下させることができる。
【００５１】
また、かみそり刃１２ｄが皮膚接触要素１４に対して負の露出量に設定されるように、かみそり刃の露出量を調節することが好ましくあり得る。例えば、図６Ａから分かるように、かみそり刃アレイ１２のかみそり刃１２ａ、１２ｂ、１２ｄ、及び１２ｅの露出量は、互いに対して、図６の露出量と同様に構成されているが、皮膚接触要素１４がかみそり刃１２ｂと１２ｄとの間に存在し、かみそり刃１２ｂ又は１２ｄの一方又は両方と比べてわずかに高く（好ましくは０．０５ｍｍ高く）配設されていることにより、固定された制御点だけでなく、これらの下部のかみそり刃の負の露出量が与えられている。したがって、図６Ａに示されるように、皮膚接触要素は、かみそり刃１２ｂのすぐ後ろで、実際の皮膚線４４ｂをその上面１４ａまで上昇させ、望ましくは毛Ｈが押し下げられるのを防止することができる。説明の目的で、１本の毛Ｈのみが図６Ａに示されている。皮膚接触要素１４に対するかみそり刃１２ｄの負の露出量は、望ましくは約−０．２ｍｍまでとなり得るが、この負の露出量により、剃毛行程が皮膚接触要素１４を通過し、その後方のかみそり刃１２ｄと接触するとき、望ましくはかみそり刃１２ｄと皮膚４４ｂとの接触が最小限となり、あるいは皮膚が効果的にマスクされ、かみそり刃１２ｄの接触を実質的に毛Ｈとのみとすることができる。これにより、望ましくは、各毛の長さのうちのより多くが切断されるように、毛Ｈをより皮膚に近い点Ｈ１にて切断することが可能となり、見逃された毛が切断される範囲が改善され、更にまた、切断される見逃された毛の本数が増加され、したがって、ユーザーによる剃毛の成果の認識が高められる（例えば、皮膚は剃毛の直後はより滑らかに感じられる）。
【００５２】
皮膚接触要素がかみそり刃アレイ内に存在すると、望ましくは、全てのかみそり刃が皮膚と接触することが実質的に防止され得るが（例えば、快適性、滑り、及び安全性が改善する）、かみそり刃が皮膚と最小限に接触するかあるいは接触しないことで（例えば、特に、上述のように皮膚接触要素１４の後のかみそり刃１２ｄにおいて）毛の切断が改善されることと相まって、毛の高さを上昇させることにより、かみそり刃の毛との接触が改善される。
【００５３】
しかしながら、かみそり刃アレイ１２内のかみそり刃のそれぞれに対して中立又はゼロのかみそり刃露出量が存在するように（例えば、かみそり刃と皮膚接触要素が単に皮膚をかすめるように）、図６Ａの皮膚接触要素１４が配設された場合、剃毛中の剃毛の快適性、滑り、及び安全性などの特性もまた改善される。
【００５４】
更に、１つ以上の皮膚接触要素をかみそり刃アレイ内に配設することにより、有利にも、皮膚接触要素がなければ通常のかみそりでは過度に鋭利となるか（例えば、傷つける危険が非常に高い）あるいはユーザーにとって不快となり得る、より一層鋭利なかみそり刃（例えば、小さな切断力で）又は他のかみそり刃構成を利用することが可能となる。例えば、非常に鋭利なタイプのかみそり刃が、そのような皮膚接触要素のすぐ後方のかみそり刃の位置に配設されるのが望ましくあり得る（例えば、かみそり刃１２ｄ）。
【００５５】
本発明のかみそり刃間のスパンは、約０．５ｍｍ〜約２ｍｍの範囲であり得る。好ましくは、かみそり刃間のスパンは、０．９５ｍｍ〜１．０５ｍｍである。
【００５６】
例えば、中立又は負の露出量を有するかみそり刃は、実質的に皮膚と接触しなくてもよく、あるいは図６Ａに示されるように皮膚をかすめるだけでもよいことが既知であるので、本発明の皮膚接触要素の後ろのかみそり刃はまた、従来のかみそり刃アレイと比べて、更に鋭利なかみそり刃及び／又はより大きな「かみそり刃接線角度（ＢＴＡ）」を有するかみそり刃を有するように改良されてもよく、この後者の場合が図６Ｃに示されている。
【００５７】
特に、このＢＴＡに関して言えば、かみそり刃と皮膚線との間の角度を示すことが一般に公知である。また、この角度を増加させることにより、より一般的な第１の段、つまりカートリッジユニット１０ａが見逃した可能性のある毛を第２の段で捕捉することが可能となる。しかしながら、ＢＴＡを大きくすると接近性が改善され得るが（例えば、より多くの毛が切断される）、通常は快適性が失われ（例えば、かみそり刃が皮膚の上で引きずられ、皮膚に損傷を与えることがある）、対照的に、ＢＴＡを小さくすると快適性が改善されるが、通常は接近性が失われるので、ＢＴＡの調節は、設計において事前の計画を必要とする。
【００５８】
ＢＴＡに関連して、図６Ｂ及び６Ｃは、本発明の２つの構成を示している。図６Ｂにおいて、かみそり刃接線角度４７は、皮膚線４４ｂから約１０度〜２４度の範囲であってもよく、望ましくは約２２．５度であってもよい。図６Ｂは、図６Ａの構成に見出すことができるＢＴＡを表現し得るものである。
【００５９】
図６Ｃにおいて、ＢＴＡ  ４８は、皮膚線４４ｂから約２５度〜４０度の範囲にであってもよく、望ましくは約２８度であってもよい。加えて、図６Ｃは、図６Ｂのスパンと類似した狭いスパンを有して示されている。図６Ｂと比較して、図６Ｃに示すスパンは狭く、ＢＴＡは増大されていることにより、少なくともかみそり刃１２ｄの負の露出量４３と相まって、望ましくは、皮膚にかかるかみそり刃先端部の荷重が改善され、皮膚の損傷を伴わずに切断される毛の本数が増加し得る。
【００６０】
そのようなカートリッジは、本発明の皮膚接触要素の用途を有利に提供することができる。例えば、カートリッジは、中心に配置される皮膚接触要素の前後で異なる機能を有し、そのため種々のタイプの毛及び／又は種々の毛領域（例えば、首、顎、顔、体）を対象とするように多様な機能性を有するように選択肢豊富に設計され得る。例えば、切断困難で低く横たわる毛の切断は、図６Ｃの構成で改善され得る。
【００６１】
したがって、本発明の皮膚接触要素を用いてカートリッジを構成して、概ね中心の制御点を設ける上で、皮膚接触要素、ガード、及びキャップなどの制御点に対して、かみそり刃のタイプ、角度、スパン、露出量、及びかみそり刃の枚数など、相互に関連する複数の変数の釣り合いをとることは一般に、毛を効果的に切断する一方で皮膚に損傷を与えることのない最適な設計をもたらすために重要となり得る。
【００６２】
本発明の皮膚接触要素又は制御点が存在することにより、従来のかみそりカートリッジで可能となる範囲と比べて、これらの相互に関連する変数をより広範囲に微調整することが可能となり、それによって更に多くの利点がもたらされ得る。
【００６３】
上述のように、望ましくは、かみそり刃の鋭利さ及び角度を増すことができ、スパンを縮小することができ、露出量を中立又は負にして、皮膚に損傷がないように、また（長さと本数の両方で）更に多くの毛を切断するようにすることができる。更に、皮膚接触要素は、望ましくは、高い摩擦力を発生させることなく皮膚と毛を通過させることになり、したがって、皮膚接触要素は、かみそり刃アレイ内の実質的に低摩擦の要素として維持される。
【００６４】
図７は、望ましくは改良型又は機能拡張型のかみそり刃支持体として形成された皮膚接触要素５０ｊを示しており、このかみそり刃支持体は、任意の材料で作製されるが、有利には、従来よりかみそり刃支持体に用いられてきた金属と同じ種類の金属からなるものである。図７における下向きの矢印は、皮膚接触要素５０ｊ並びにかみそり刃１２ａ、１２ｂ、１２ｄ、及び１２ｅをカートリッジ１０へとトップダウン式で搭載することを示している。
【００６５】
これまでに説明した皮膚接触要素は一般に、（例えば、かみそり刃の装着と同様に）かみそり刃位置又はスロットにかみそり刃アレイ又はカートリッジの頂部から装填又は装着されるものであるが、本発明は、皮膚接触要素を通常のかみそり刃位置又はかみそり刃スロットに設置することに限定されない。
【００６６】
かみそり刃アレイ内に配置するための皮膚接触要素を製造する他の方法について、以下で説明する。
【００６７】
本発明の皮膚接触要素は、図８に示されるように、例えば、カートリッジフレーム６５の辺のうちの少なくとも１つに配置された少なくとも１つの孔、開口、又はスロット６５ａを通してかみそり刃アレイ６２の中に装填され得る。孔６５ａは望ましくは、かみそり刃アレイ６２内の、したがってかみそりカートリッジ６０内の定位置に皮膚接触要素６４を難なく挿入し、概ね保持することができるように、寸法及び構造を定められ得る。
【００６８】
これまで、本発明の皮膚接触要素は、かみそり刃自体と同様に、独立した、単独の、又は分離可能な要素として説明されてきた。この要素が、刃先を有さない皮膚接触要素であることを考慮すれば、かみそりカートリッジ内にそのような皮膚接触要素を設けるための別の方法もまた、本発明の範囲に含まれ得る。本発明のそのような別の実施形態について、以下で説明する。
【００６９】
ここで図９を参照すると、本発明のそのような１つの代表的な別の実施形態が示されており、図９にフレーム７５の拡大図で示されるように、フレーム７５の一部分として形成された少なくとも１つの皮膚接触要素７４を有している。例えば、フレーム７５は、図１〜図３に関連しておおまかに説明したように、望ましくはカートリッジ内の任意の位置に長さ方向に配置された少なくとも１つの膚接触要素７４を有するように射出成形されてもよい。この皮膚接触要素はまた、スナップ嵌め又は他の既知の結合によってフレームに連結されてもよい。皮膚接触要素７４は、当業者に知られている他の機械的、熱的、化学的方法を用いてフレーム７５に連結されてもよい。皮膚接触要素は、フレームと共に形成されているが、かみそり刃に取り付けられたり、かみそり刃と一体化されたりすることが可能であることに留意されたい。皮膚接触要素は、カートリッジフレームの一部であるが、エラストマー材料又は他の材料のものであってもよい。
【００７０】
更に図１０において、別の代表的な代替的実施形態が皮膚接触要素８４を示しており、この皮膚接触要８４は、一体構造８４ａとしたクリップ８８ａと８８ｂの双方の一部分として形成されており、したがって、クリップが装着されるときに必然的にフレーム（又はカートリッジ）に装着される。図示されていないが、本発明によれば、複数の皮膚接触要素がクリップの一部分として形成されてもよく、あるいは、皮膚接触要素はそれぞれ、単一の又は他のクリップ８８ａ若しくは８８ｂの一部分として形成されてもよい。そのような構造８４ａは、通常のクリップと同じ方法を用いて当業者によって作製され得るものであり、また、任意の実行可能な方式で、機械加工、成形、又は形成されてもよい。
【００７１】
皮膚接触要素７４はフレーム７５の一部として形成されてもよく、皮膚接触要素８４はクリップ８８ａ、８８ｂの一部として形成されてもよいが、両方とも別のかみそり構成要素の一部として形成されるものであり、皮膚接触要素は通常かみそり刃のいずれにも取り付けられないか、又はかみそり刃のいずれとも一体化されない、しかしながら、このことは本発明の範囲に含まれると考えられる。少なくとも１つの皮膚接触要素をかみそり刃アレイ内に有することに起因する剃毛の利点は、依然として不変である。
【００７２】
加えて、本発明の皮膚接触要素は、いかなるタイプのかみそりカートリッジにおいても、したがって当然ながら男性用のかみそりと女性用のかみそりのいずれにおいても利用され得ることに留意されたい。
【００７３】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【図１】
0005739064.tif 000002
【図１Ａ】
0005739064.tif 000003
【図２】
0005739064.tif 000004
【図３Ａ】
0005739064.tif 000005
【図３Ｂ】
0005739064.tif 000006
【図３Ｃ】
0005739064.tif 000007
【図３Ｄ】
0005739064.tif 000008
【図３Ｅ】
0005739064.tif 000009
【図３Ｆ】
0005739064.tif 000010
【図４Ａ】
0005739064.tif 000011
【図４Ｂ】
0005739064.tif 000012
【図５Ａ】
0005739064.tif 000013
【図５Ｂ】
0005739064.tif 000014
【図５Ｃ】
0005739064.tif 000015
【図６】
0005739064.tif 000016
【図６Ａ】
0005739064.tif 000017
【図６Ｂ】
0005739064.tif 000018
【図６Ｃ】
0005739064.tif 000019
【図７】
0005739064.tif 000020
【図８】
0005739064.tif 000021
【図９】
0005739064.tif 000022
【図１０】
0005739064.tif 000023